(57)【要約】【課題】沿岸域の埋立て作業に使用する土砂搬送設備に関し、土砂の荷上げや払い出し作業になどに伴う土砂粉塵の飛散による周囲の環境悪化を防止することを目的とする。【解決手段】土砂の荷上げ作業を行う土砂搬送設備１として、岸壁５３に隣接して土砂運搬船が停留可能な船舶停留部５５および、岸壁上に設置され、土砂を受入れ移送する荷上側土砂移送部６４を覆う屋根１４と、前記船舶停留部および前記荷上側土砂移送部を囲う遮蔽部１５と、前記遮蔽部に土砂運搬船が出入り可能な開閉部１１とを備えた。また、土砂の払い出し作業を行う土砂搬送設備として、台船上に設置され、土砂を移送し投下する土砂投下用移送部を覆う屋根と、前記土砂投下用移送部を囲う遮蔽部と、前記遮蔽部に車両が出入り可能な開閉部とを備えた。【選択図】　　　図１
2004011277.tif 000002
【特許請求の範囲】
【請求項１】
岸壁に隣接して土砂運搬船が停留可能な船舶停留部と、岸壁上に設置され、土砂運搬船から出された土砂を受入れ移送する荷上側土砂移送部とを備えた土砂搬送設備において、
前記船舶停留部および前記荷上側土砂移送部を覆う屋根と、
前記屋根の下に前記船舶停留部および前記荷上側土砂移送部を囲う遮蔽部と、
前記遮蔽部の前記船舶停留部側に設けられ土砂運搬船が出入り可能な大きさの開口となる開閉可能な開閉部とを備えたことを特徴とする土砂搬送設備。
【請求項２】
台船と、該台船上に設置され、受入れた土砂を台船から離れた箇所まで移送する移送部分と移送された土砂を投下する投下部分とを有する土砂投下用移送部とを備えた土砂搬送設備において、
前記土砂投下用移送部を覆う屋根と、
前記屋根の下に前記土砂投下用移送部を囲う遮蔽部と、
前記遮蔽部には前記土砂投下用移送部の投下部分側に設けられ車両が出入り可能な開閉部とを備えたことを特徴とする土砂搬送設備。
【請求項３】
前記請求項１又は請求項２に記載の土砂搬送設備において、前記開閉部が、上方に上げて開放しかつ上方から下げて閉鎖する昇降式であることを特徴とする土砂搬送設備。
【請求項４】
前記請求項３に記載の土砂搬送設備において、
前記開閉部が、巻上げと巻き出しにより昇り降りして開閉されるシャッターシートと、
昇降可能に設けられ、昇降するシャッターシートを案内するガイド柱とにより構成されたことを特徴とする土砂搬送設備。
【発明の詳細な説明】
【０００１】
【発明の属する技術分野】
本発明は、沿岸域の埋立て作業に使用する土砂搬送設備に関し、特に土砂の荷上げや払い出しになどに伴う土砂等の粉塵の飛散の防止に関する。
【０００２】
【従来の技術】
沿岸域の埋立てに際し、土砂を土砂運搬船から陸揚げしフローティング式の水上コンベアを通し埋立て区域内に搬送して埋立てを行う場合がある。
【０００３】
図１１及び図１２は、この方式の従来の土砂搬送設備の概要を示す。図１１及び図１２において、５０は既存の沿岸堤防、５１は沿岸堤防５０から沖へ設定された埋立て区域、５２は埋立て区域５１の外郭に沿って建造された新たな堤防、５３は新たな堤防の沖側部に形成された土砂荷上岸壁、５４は土砂荷上岸壁５３に接岸した土砂運搬船、６３は埋立て区域５１に浮かぶ水上コンベア、７１は土砂払出台船である。この明細書において、土砂とは、埋立のための投下物として用いられ、粉塵を生じるものであればよく、土や砂のみならず、砂利、焼却灰なども含む。
【０００４】
〈土砂荷上側の土砂搬送設備〉
図１１及び図１２において、６０は土砂荷上岸壁５３上に可動可能に設けた土砂荷上装置、例えばショベルカー、６２は土砂荷上岸壁５３上に土砂運搬船５４に平行するように固定配置された土砂受入れコンベアである。これらの図には明示されていないが、土砂受入れコンベア６２の上方に、荷上側土砂受入れホッパーが設けられており、土砂荷上装置６０から土砂を受け入れ土砂受入れコンベア６２に案内する。これら土砂荷上装置６０、荷上側土砂受入れホッパー、土砂受入れコンベア６２により、土砂受入設備が構成される。土砂受入れコンベア６２は、次に説明する水上コンベア６３の一端部と接続配置される。
【０００５】
〈埋立て区域内土砂搬送設備〉
６３は埋立て区域５１内の水面に浮揚させたフローティング式の水上コンベアである。水上コンベア６３は、水面に浮かぶ箱体の上に支持部をもうけ、この支持部に支持されたベルトコンベアである。通常、土砂荷上岸壁５３上から土砂払出台船７１上までの水上コンベヤ６３にはカバー付の遮蔽コンベヤとなっている。
７１は土砂払出台船である。水上コンベア６３は、土砂を土砂荷上岸壁５３から土砂払出台船７１まで移送する。
【０００６】
このため、土砂荷上岸壁５３上に設置された前記土砂受入れコンベア６２の移送先側端部にある土砂落下点に水上コンベア６３の土砂受入れ側端部がくるように配置される。さらに、この水上コンベア６３の移送先側端部の土砂落下点に他の水上コンベア６３の受入れ側端部がくるように設けられる。このように一の水上コンベア６３の土砂移送先側端部の土砂落下点と他の水上コンベア６３の土砂受け入れ側端部とがつながるよう配置し、これを複数箇所で繰り返して、土砂荷上岸壁５３から埋立て区域５１を通って土砂払出台船７１まで、土砂を運搬可能に水上コンベア６３が連続してつながっている。
【０００７】
〈土砂払出側土砂搬送設備〉
土砂払出台船７１に近い側にある水上コンベア６３は、その移送先側端部落下点が、これらの図には明示のない払出し側土砂受入れホッパー上にくるように配置されている。このホッパーが、水上コンベア６３一端部から土砂を受け入れ、次に説明するスプレッダコンベア７６に案内する。
７６は土砂払出台船７１に設置され、この台船７１上から埋立て区域５１水面上へ張出したスプレッダコンベアである。前記スプレッダコンベア７６は、土砂を移送する移送部分と投下する投下部分からなり、台船７１側から投下部分に近くなるほど高くなるよう上向きに傾斜している。投下部分は台船７１から離れた水面上に張り出したところに位置する。土砂は台船７１側から投下部分側へと移送部分により移送され、投下部分に達したところで投下される。
【０００８】
〈土砂荷上げ作業〉
上述した土砂搬送設備を用いた土砂の荷上げ作業を説明する。
土砂荷上岸壁５３において、ショベルカーなどの土砂荷上装置６０を用いて、土砂運搬船５４から土砂をすくいあげ、荷上側土砂受入れホッパーに投入する。土砂はこのホッパーに案内され、受入れコンベア６２に落下する。土砂は受入れコンベア６２により移送されて土砂荷上岸壁５３にその一端を張り出して設けられている水上コンベア６３まで運ばれる。
【０００９】
〈土砂埋立て区域移送作業〉
次に、水上コンベア６３による土砂の移送について説明する。
土砂は、土砂受入れコンベア６２により、移送され、移送側端先部から水上コンベア６３の土砂受入れ側端部に落下する。さらに、土砂は、この水上コンベア６３により、移送され、移送先側端部から他の水上コンベア６３の受入れ側端部に落下する。このように土砂の受入れ、移送、落下を複数の水上コンベアの連続により繰り返し、土砂払出台船７１まで、土砂が移送される。水上コンベア６３は水面に浮揚させたフローティング式であるので、土砂払い出し台船７１の移動にしたがって移動させることができる。
【００１０】
〈土砂払い出し作業〉
次に、土砂払い出し作業を説明する。
水上コンベア６３により運ばれてきた土砂は、土砂払出台船７１において、払出側土砂受入ホッパーに落下し、さらに、このホッパーに案内されてスプレッダコンベヤ７６に落下する。この土砂は、スプレッダコンベア７６の移送部分により移送され、投下部分に達すると投下される。スプレッダコンベア７６の投下部分を埋立予定地に配置することにより、投下された土砂により埋立予定地が埋め立てられる。
【００１１】
投下された土砂が一定の高さにまで積み上がった後、埋立地に車両や機器を入れ、これら車両等を用いて、整地され、平坦化され、種子の吹付けや土砂固着化等の土砂飛散防止策が施工される。埋立てが進むにつれ、埋立区域５１内で、埋立完了地から埋立予定地に、土砂払出台船７１を移動させ、土砂の払い出しや整地などの埋め立てに必要な作業を進めていく。
【００１２】
【発明が解決しようとする課題】
ところで、従来、これらの作業は、全て露天下で行われていた。このため、土砂荷上岸壁５３側での土砂荷上げ、土砂払出台船７１側での土砂払出し、埋立地での整地などを行うときに土砂等の粉塵が飛散し、また、整地後に、風などで土煙などが立たないようにするため、埋立地に草花をうえ、又は、草花の種子を吹き付けて草花を生じさせたり、あるいは、土砂を固めるための薬剤を散布したりし、土砂固着化を行うが、これらの種子や薬剤が飛散し、周囲の環境を悪化させていた。なお、このような整地や土砂固着化を行うための手段として、機器や車両が埋立地に搬入される。
【００１３】
本発明は上記事情に鑑みて成されたものであり、この問題に対し、土砂荷上げや土砂払出しなどのとき、土砂等の粉塵飛散を解決する土砂搬送設備を提供することを目的としている。
【００１４】
【課題を解決するための手段】
本発明は、上記課題を解決するため、以下の手段を採用することとした。
請求項１に記載の発明は、岸壁に隣接して土砂運搬船が停留可能な船舶停留部と、岸壁上に設置され、土砂運搬船から出された土砂を受入れ移送する荷上側土砂移送部とを備えた土砂搬送設備において、前記船舶停留部および前記荷上側土砂移送部を覆う屋根と、前記屋根の下に前記船舶停留部および前記荷上側土砂移送部を囲う遮蔽部と、前記遮蔽部の前記船舶停留部側に設けられ土砂運搬船が出入り可能な大きさの開口となる開閉可能な開閉部とを備えたことを特徴としている。
【００１５】
この構成により、開閉部を開いた状態にして、土砂運搬船が出入する。そして、土砂運搬船は、土砂を岸壁側に降ろすために接岸し、岸壁側に土砂を降ろした後、岸壁から離岸する。
【００１６】
また、開閉部を閉じた状態にして、土砂運搬船の土砂から荷上側土砂移送部に運ばれた土砂を、この荷上側土砂移送部が受入れて、移送する。このようないわゆる土砂荷上げ作業を行うにあったっては、開閉部を閉じることで、作業に伴う土砂の飛散が土砂搬送設備内で生じても、屋根、遮蔽部、開閉部により、土砂搬送設備の外部にまで土砂は飛散し難い。しかも、前述のように開閉部を開けることにより、土砂搬送設備内に、土砂を運び入れる土砂運搬船が出入りできる。
【００１７】
岸壁は、土砂を運搬する船舶や浮体構造物などを横づけにし、積荷の土砂などをおろすために作った施設であればよく、桟橋のようなものも含む。また、土砂運搬船は、土砂などを運搬でき、移動可能な浮体構造物であればよく、自走可能か否かを問わない。土砂は、埋立のための投下物として用いられ、粉塵を生じるものであればよく、土や砂のみならず、砂利、焼却灰なども含む。他の請求項においても同様に定義する。
【００１８】
請求項２に記載の発明は、台船と、該台船上に設置され、受入れた土砂を台船から離れた箇所まで移送する移送部分と移送された土砂を投下する投下部分とを有する土砂投下用移送部とを備えた土砂搬送設備において、前記土砂投下用移送部を覆う屋根と、前記屋根の下に前記土砂投下用移送部を囲う遮蔽部と、前記遮蔽部には前記土砂投下用移送部の投下部分側に設けられ車両が出入り可能な開閉部とを備えたことを特徴としている。
【００１９】
この構成により、開閉部を閉じた状態にして、土砂投下用移送部に受入れた土砂を、前記土砂投下用移送部の移送部分により投下部分まで運び、投下する。投下部分の下には、土砂が堆積して埋め立てられることになる。このようないわゆる土砂払出作業を行なうにあたっては、開閉部を閉じることで、作業に伴う土砂の飛散が土砂搬送設備内であっても、屋根、遮蔽部および開閉部により、外部にまで土砂は飛散し難い。
【００２０】
また、投下した土砂が堆積して埋め立てられた後に、開閉部を開いた状態にして、整地、種子吹付けや、土砂固着化など作業に必要な車両や機器が出入する。これにより、土砂払出し作業中は、開閉部を閉じて外部との出入りが妨げられていた土砂搬送設備内に、前記作業に必要な車両や機器を運び入れることができる。
【００２１】
再び、開閉部を閉じた状態にして、埋立地に積みあがった土砂の整地、種子吹付けや、土砂固着化などの作業を行う。この場合は、土砂だけではなく、種子や固着化のための薬剤などが外部まで飛散し難い。
土砂払出し、整地、種子吹き付け、土砂固着などの埋め立てに伴う作業を円滑に進めながら、土砂等の飛散も妨げる。
台船は、その上に設備を設置可能で移動可能な浮体構造物であればよく、自走可能か否かを問わない。
【００２２】
請求項３に記載の発明は、前記請求項１又は請求項２に記載の土砂搬送設備において、前記開閉部は、上方に上げて開放しかつ上方から下ろして閉鎖する昇降式であることを特徴としている。
【００２３】
この構成の土砂搬送設備によると、昇降式の開閉部を必要に応じて上方に上げたり、上方から下ろしたりして、開口部にできる開口の高さを調整して、船や車両の出入りに最低必要な高さだけの開口を開けるようにすることにより、船や車両を出入りさせることができ、また、土砂搬送設備の外部への土砂等の飛散を少なくする。
【００２４】
請求項２に係る発明に従属する請求項３の発明の構成によると、開閉部が、上方に上げて開放しかつ上方から下ろして閉鎖する昇降式となっているので、土砂搬送設備内の土砂埋立地に土砂が積みあがっても、積みあがった土砂の高さに合わせて、開口の高さを調整することにより、埋立ての進捗にともない台船を移動する必要があるときにも、台船を支障なく移動させることができ、また、開口高さを必要最小にすることにより、土砂搬送設備の外部に土砂等の飛散も少なくなる。
【００２５】
請求項４に記載の発明は、前記請求項３に記載の土砂搬送設備において、前記開閉部が、巻上げと巻き出しにより昇り降りして開閉されるシャッターシートと、昇降可能に設けられ、昇降するシャッターシートを案内するガイド柱とにより構成されたことを特徴としている。
【００２６】
この構成により、巻き出されたシャッターシートが、先に降りていたガイド柱により案内されて、ガイド柱に沿って大きく広げられ、土砂等が土砂搬送備の外部にまで飛散するのを妨げやすいものとなる。
【００２７】
また、シャッターシートが巻き上げられ、ガイド柱も上方に移動した状態とされて、開閉部が大きく開口されるので、大きな船や車両等の出入りができる。
【００２８】
特に、シャッターシートが巻き出されて広げられたときに、ガイド柱がシャッターシートの上下方向の補強となり、シャッターシートだけで構成するよりも開閉部の強度を強くしやすい。また、この構成によると、大きな剛性のある板を上下させる構成とする開閉部よりも軽量化し易く、建屋の強度的負担を軽減し易い。
【００２９】
【発明の実施の形態】
次に、本発明の一実施形態について、図面を参照して説明する。土砂搬送設備の土砂を搬送する機能のところは、従来技術の説明の欄で説明したものと基本的に同様である。従来技術と同じところは同じ符号を用いる。実施の形態の欄においても、土砂とは、埋立のための投下物として用いられ、粉塵を生じるものであればよく、土や砂のみならず、砂利、焼却灰なども含む。
【００３０】
〈土砂荷上側の土砂搬送設備〉
図１から図６に基づき、請求項１とそれに従属する発明に関する実施の態様を説明する。図１は土砂荷側の土砂搬送設備１を説明する全体断面図である。ここで土砂搬送船から土砂の荷上げ作業を行う。
【００３１】
図１において、５３は土砂荷上岸壁であり、５４は土砂荷上岸壁５３まで土砂を運んで接岸している土砂運搬船である。５５は土砂荷上岸壁５３に隣接して土砂運搬船５４が停留可能な領域となる船舶停留部である。１０は土砂荷上岸壁５３に支柱を設け、土砂荷上岸壁５３から土砂運搬船５４の接岸する海側に張出屋根型に設けたトラス組構造の上屋である。この上屋１０は、土砂運搬船５４が入ることができる高さと張り出し長さの屋根１４を有するとともに、土砂荷上岸壁５３上で使用するショベルカーなどの移動可能な土砂荷上装置６０の設置及び動作、荷上側土砂受入れポッパー６１、土砂受入れコンベア６２並びに水上コンベア６３の一部の設置に必要な高さと張出長さの屋根１４を有し、かつ、これらの周囲を囲う壁１５を有する。こうして上屋１０の内部に前記船舶停留部５５、土砂荷上装置６０、荷上側土砂受入れポッパー６１、土砂受入れコンベア６２並びに水上コンベア６３の一部を含むようになされている。
【００３２】
この壁１５が遮蔽部を構成する。遮蔽部は土砂などの粉塵の飛散を防ぐものであればよく、木、スレート、樹脂又は金属などからなる板、防塵ネットなどが用いられる。また、屋根１４は、固定屋根又は遠隔操作で折りたたみ式に開閉可能なテント屋根等で構成でき、遮蔽部と同様に土砂などの粉塵の飛散を防ぐものであればよい。
【００３３】
荷上側土砂受入れホッパー６１は、土砂受入れコンベア６２の上方に、土砂受入コンベア６２に沿って移動可能に設けられている。この土砂受入れホッパー６１は、土砂を受け入れ土砂受入れコンベア６１に案内する。土砂の荷上げ作業は、ショベルカーなどの土砂荷上装置６０が土砂運搬船５４の土砂をすくって、この荷上側土砂受入れポッパー６１に投入して行う。このとき、荷上側土砂受入れホッパー６１は、ショベルカー６０の位置に合わせて、受入れコンベア６２に沿って移動可能することにより、ショベルカー６０などの移動を少なくし、土砂荷上げ作業を効率よくしている。
【００３４】
ここでは、荷受側土砂受入れポッパー６１、土砂受入れコンベア６２およびそれにつながる水上コンベア６３の一部により荷上側土砂移送部６４を構成する。荷上側土砂移送部６４は、土砂搬送台船５４から出された土砂を受け入れ、荷上岸壁５３の外に移送するものであればよく、ポッパーがなく、コンベアだけからなるもでもよく、また、コンベアも受入れコンベアと水上コンベアとの両方からなる必要はない。
上屋１０の壁１５には、前記荷上側土砂移送部６４である水上コンベア６３の土砂荷上岸壁５３に突き出した部分を通す貫通部が設けられている。
【００３５】
前記壁１５には、図１、図２および図４に示すように開閉部１１が設けられている。
この開閉部１１は、昇降式の扉からなる。この昇降式扉は、上屋１０の、張出屋根１４を支える構造部に支持して、土砂運搬船５４の出入に支障のない高さから海面近くまで上下に昇降する平面状のものにより構成されている。この開閉部１１を開けた状態のとき、即ち、昇降式扉が上げられたときに、土砂運搬船５４が出入りし、開閉部１１を閉じた状態のとき、即ち、昇降式扉が下げられたときに、土砂の荷上げ作業を行う。
【００３６】
この昇降式扉も壁と同様に土砂の飛散を防止できるものであればよく、壁と同様の材料で構成し、常に平面状の形状を保っている板を上下させてもよい。また、開閉部１１を開けた状態のときに平面状となるものであれば、後述するいわゆるシャッター式のようなものでもよい。開閉部１１を昇降式扉で構成すると、必要に応じて上方に上げたり、上方から下ろしたりでき、開口の高さを調整して、船の出入りに最低必要な高さだけの開口を開け得るように構成することが容易になり、土砂搬送設備の外部への土砂等の飛散を少なくできる。
【００３７】
図２、図３、図４に示すように、屋根１４の下には、土砂荷上岸壁上５３にある、土砂荷上装置６０、荷上側土砂受入れポッパー６１、土砂受入れコンベヤ６２および水上コンベア６３の一部並びに前記船舶停留部５５を囲う壁１５がある。
【００３８】
上屋１０のこの壁１５には、前記開閉部１１や水上コンベア６３の土砂荷上岸壁に突き出した部分を通す貫通部の他に、人の出入りや機器の出し入れに必要な開口（図示せず）をなどを設けてある。人の出入りや機器の出し入れに必要な開口も、開閉可能な構造とすることが好ましい。この開閉構造には前記昇降式扉と同様のものでも、スライド又は回動により開閉する扉でも、その大きさや設置スペースにあった手段を適宜採用することができる。
【００３９】
〈土砂荷上げ作業〉
この荷上側の土砂搬送設備１を用いた作業を説明する。
開閉部１１を開いた状態にして、土砂運搬船５４が出入する。そして、土砂運搬船５４は、土砂を岸壁５３側に降ろすために接岸、停留し、岸壁側に土砂を降ろした後、岸壁５３から離岸する。
【００４０】
また、開閉部１１を閉じた状態にして、土砂荷上げ作業を行う。土砂運搬船５４の土砂をショベルカー６０によりすくって、荷上側土砂受入ホッパー６１に運び入れる。投入された土砂は、荷上側土砂受入ホッパー６１により案内されて、土砂受入コンベア６２に落下する。さらに、土砂は、土砂受入コンベア６２に運ばれて、水上コンベア６３に落下する。この水上コンベア６３の土砂荷上岸壁５３に突き出した部分により、上屋１０の外に、土砂を運び出す。このようないわゆる土砂荷上げ作業に伴って土砂の飛散が生じても、荷上側の土砂搬送設備１の屋根１４、遮蔽部１５、開閉部１１により、土砂搬送設備１の外部にまで土砂は飛散し難い。しかも、前述のように開閉部１１を開けることにより、土砂搬送設備１内に、土砂を運び入れる土砂運搬船５４が出入りできる。
【００４１】
岸壁は、土砂を運搬する船舶や浮体構造物などを横づけにし、積荷の土砂などをおろすために作った施設であればよく、桟橋のようなものも含む。また、土砂運搬船は、土砂などを運搬でき、移動可能な浮体構造物であればよく、自走可能か否かを問わない。土砂は、埋立のための投下物として用いられ、粉塵を生じるものであればよく、砂利、その他、搬送に際して、粉塵を生じるものも含む。
【００４２】
〈シャッター式の開閉部〉
この開閉部１１は、複数のガイド柱１２と、このガイド柱１２に案内されて、このガイド柱１２沿いに上下に開閉される複数のシャッターシート１３とで構成している。
【００４３】
図１と図５に示すように、上屋１０の、海側の屋根張出端には、張出屋根１４を支える構造部に固定され開閉部１１の上端あたりの高さ位置まで及ぶフロント側トラス壁組１５ａが設けられている。
【００４４】
図５は、シャッターシート１３とガイド柱１２を主な構成とする開閉部１１の断面を、詳細に示している。ガイド柱１２は、巻上装置１７からのワイヤ１７ｂにより吊るされている。巻上装置に設けたドラム１７ａを回転させ、ワイヤ１７ｂを巻き上げたり巻き出したりすることにより、ガイド柱１２は上下に移動する。巻上装置１７は、屋根１４を支持する構造部に設けている。建屋の壁１５の内側にガイドボックス１６を設けるとともに建屋の壁１５の外側にシャッターシート１３の収納箱１８を設けて、前記ガイドボックス１６と前記収納箱１８との間に前記ガイド柱１２を通るようにしている。
【００４５】
前記ガイド柱１２が上下移動するときに、前記ガイドボックス１６の建屋外側に向いた面により、前記ガイド柱１２が建屋の内側にふらつかないようし、前記収納箱１８の建屋内側に向いた面により、前記ガイド柱１２が建屋の内側にふらつかないようにしている。また、前記ガイドボックス１６には、前記ガイド柱１２の両側をはさむように収納箱１８方向と上下方向に伸びた一対の支持部（図示せず）があり、この支持部により、前記ガイド柱１２が建屋の壁に平行な方向にふらつかないようにしている。これにより、前記ガイド柱１２は上下移動をするときにふらつきがなくなる。前記ガイドボックス１６は、前記トラス壁組１５ａの端部に固定して設けられる。
【００４６】
前記収納箱１８の中には、シャッターシート１３を巻き上げたり巻き出したりするドラム１８ａからなる昇降機を備えている。前期シャッターシート１３は水平折線で折曲る樹脂や板金等のもので構成できる。前記収納箱１８には、前記ドラム１８ａから建屋内に案内する壁面を有するガイド手段１８ｂがあり、前記シャッターシート１３は前記ガイド手段１８ｂの壁面に沿って昇降する。
【００４７】
前記ガイド柱１２は、二枚の縦長板を、シャッターシート１３が上下できる空間１２幅ｄだけあけて平行に対向させ、その上下端同士を連結し、その一方の板１２ａの上端に近い側を欠いて開口１２ｃとなして形成されている。この開口１２ｃは二枚の板の間の空間１２に連続している。前記ガイド柱１２の開口１２ｃがある側の板１２ａを前記収納箱１８側に、他方の板１２ｂを前記ガイドボックス１６側に位置するように配置する。ガイド柱１２の上端の、一方の板と他方の板とを連結する部分に、巻上装置１７から下がっているワイヤ１７ｂをつないである。
【００４８】
前記ガイド柱１２が下降した位置で停止し、前記シャッターシート１３が前記ドラム１８ａから巻き出されると、前記シャッターシート１３は前記ガイド柱１２の開口１２ｃを通り前記ガイド柱１１内の空間１２ｄに入っていく。前記シャッターシート１３の下端が前記ガイド柱１２の下端まで下りると、前記開閉部１１は閉じた状態となる。前記開閉部１１を開放するときには、前記シャッターシート１３を前記ドラム１８ａにより巻上げて、前記ガイド柱１２の昇降に干渉しないようにしてから、前記ガイド柱１２を巻上装置１７により巻き上げる。このときシャッターシート１２は、その下端部をガイド手段１８ｂに預けた状態に保持させている。図６では、シャッターシート１３を巻上げ、ガイド柱１２を最上位まで引上げた状態を示す。
【００４９】
この構成により、開閉部１１を開けた状態、即ち、前記ドラム１８ａから巻き出された前記シャッターシート１３が、前記ガイド柱１２により案内されて、前記ガイド柱１２に沿って大きく広がった状態にできるので、土砂搬送備１内での土砂等が外部飛散するのを妨げやすいものとなる。
また、開閉部１１を閉じた状態、即ち、前記ドラム１８ａに前記シャッターシート１３が巻き上げられ、前記ガイド柱１２も上方に移動した状態とされて、開閉部１１が大きく開口されるので、大きな船や車両等の出入りができる。
【００５０】
特に、シャッターシート１３が巻き出されて広げられたときに、ガイド柱１２がシャッターシート１３の上下方向の補強となり、シャッターシート１３だけで構成するよりも開閉部１１の強度を強くしやすい。また、この構成によると、大きな剛性のある板を上下させる構成とする開閉部よりも軽量化し易く、建屋の強度的負担を軽減し易い。
【００５１】
〈土砂払出側土砂搬送設備〉
次に、図７から図１０に基づき、請求項２とそれに従属する発明に関する実施の態様を説明する。図７は土砂払い出し側の土砂搬送設備２を説明する全体断面図である。ここで土砂の払い出し作業を行う。
【００５２】
７１は土砂払出台船であり、７６は土砂払出台船７１に設置したスプレッダコンベアであり、６３は土砂払出し台船７１まで土砂を運んでくる水上コンベアである。前記水上コンベア６３からの土砂を前記スプレッダコンベア７６に案内できるように、払出し側土砂受入れホッパー７２が前記水上コンベア６３の下、かつ、前記スプレッダコンベア７６の上に配置される。
【００５３】
このスプレッダコンベア７６は、前記台船７１に設置され、この台船７１上から埋立て区域５１水面上へ張出していて、土砂を移送する移送部分７３と投下する投下部分７４からなる。また、スプレッダコンベア７６は、前記台船７１側から投下部分７４に近くなるほど高くなるよう上向きに傾斜しており、この投下部分７４を前記台船７１から離れた水面上に張り出したところに位置させて用いる。払出し側受入れホッパー７２から案内されてきた土砂は、スプレッダコンベア７６において、台船７１側から投下部分７４側へと移送部分７３により移送され、投下部分７４に達したところで投下される。
【００５４】
２０は土砂払出台船７１に支柱を設け、土砂払出台船７１から離れた箇所にある前記投下部分７４の側に張出屋根型に設けたトラス組構造の上屋である。この上屋２０は、前記台船７１において、前記水上コンベア６３の一端と前記払出し側土砂受入ホッパー７２とスプレッダコンベア７６とが入ることができる高さと張り出し長さの屋根２４を有するとともに、埋立地７８側において、台船７１上から埋立て区域５１水面上へ張出した前記スプレッダコンベア７６と埋立地７８に整地などのための車両や機器とが入ることができる高さと張り出し長さの屋根２４を有し、かつ、これらの周囲を囲う壁２５を有する。
【００５５】
この壁２５が遮蔽部を構成する。前記遮蔽部２５は土砂などの粉塵の飛散を防ぐものであればよく、木、スレート、樹脂又は金属などからなる板、防塵ネットなどが用いられる。また、屋根２４は、固定屋根又は遠隔操作で折りたたみ式に開閉可能なテント屋根等で構成でき、遮蔽部と同様に土砂などの粉塵の飛散を防ぐものであればよい。
【００５６】
土砂払出台船７１は上屋２０やスプレッダコンベア７６の埋立地７８側への張出し重量にバランスするように船体のスプレッダコンベア７６の投下部分７４がある方とは反対側にカウンタウェイト７１ａを備えて構成している。この台船７１は、その上に設備を設置可能で移動可能な浮体構造物であればよく、自走可能か否かを問わない。
【００５７】
ここでは、台船７１上にある水上コンベア６３の一部、払出し側受入れポッパー７２、スプレッダコンベア７６により土砂投下用移送部７７を構成する。この土砂投下用移送部７７は、台船７１の外から運ばれてきた土砂を受け入れて台船から離れた箇所まで移送し投下するものであればよく、ポッパー７２がなく、コンベアだけからなるもでもよく、コンベアもスプレッダコンベア７６と水上コンベア６３との両方からなる必要はない。
また、上屋２０の埋立地７８側の壁２５には、開閉部２１が設けられている。
【００５８】
図８で示すように、この開閉部２１は、昇降式扉からなる。この昇降式扉は、上屋２０の、張出屋根２４を支える構造部に支持して、車両や機器の出入に支障のない高さから埋め立て地面近く、埋め立て前であれば水面近くまで上下に昇降する平面状のものにより構成されている。この開閉部２１を開けた状態のとき、即ち、昇降式扉が上げられたときに、車両や機器が出入りし、開閉部２１を閉じた状態のとき、即ち、昇降式扉が下げられたときに、土砂の払い出し作業、即ち、土砂の投下による埋め立て作業や埋立地の整地作業等を行う。
【００５９】
即ち、この昇降式扉も壁と同様に土砂の飛散を防止できるものであればよく、壁と同様の材料で構成し、常に平面状の形状を保っている板を上下させてもよいし、開閉部２１を開けた状態のときに平面状となるようないわゆるシャッター式のものでもよい。開閉部２１を昇降式扉で構成すると、必要に応じて上方に上げたり、上方から下ろしたりして、開口の高さを調整して、車両や機器の出入りに最低必要な高さだけの開口を開け得るように構成することが容易になり、払出し側の土砂搬送設備２の外部への土砂等の飛散を少なくできる。
【００６０】
図８から図１０に示した開閉部２１では、前述した図５に示したものと同様な複数のガイド柱２２と、ガイド柱２２沿いに上下に開閉されるシャッターシート２３とで構成する。前記台船７１から最も離れた側のシャッターシート２３の下端部にはスプレッダコンベア７６から投下してできた埋め立て地の土砂の凹凸に応じて変形可能な所要深さの防塵ネット２６を設けている。
【００６１】
図８、図９、図１０に示すように、屋根２４の下には、台船７１上にある水上コンベア６３の一部および払出し側土砂受入れポッパー７２、さらに台船７１上から埋立て区域５１水面上へ張出したスプレッダコンベア７６、即ち、土砂投下用移送部７７を囲う壁２５がある。上屋２０のこの壁２５には、前記開閉部２１や水上コンベア６３の土砂払出台船７１上に突き出した部分を通す貫通部２７の他に、人の出入りや機器の出し入れに必要な開口（図示せず）などを設けている。人の出入りや機器の出し入れに必要な開口も、開閉可能な構造とすることが好ましい。この開閉構造には前記昇降式壁と同様のものでも、スライド又は回動により開閉する扉でも、その大きさや設置スペースにあった手段を適宜採用することができる。
【００６２】
〈土砂払い出し作業〉
この土砂搬送設備２を用いた作業を説明する。
開閉部２１を閉じた状態にして、土砂荷払い出し作業を行う。土砂払出台船７１において、水上コンベア６３により運ばれてきた土砂は、払出し側土砂受入れポッパー７２に落下し、さらに、このホッパー７２に案内されてスプレッダコンベヤ７６に落下する。この土砂は、スプレッダコンベア７６の移送部分７３により移送され、投下部分７４に達すると投下される。スプレッダコンベア７６の投下部分７４を埋立予定地に配置することにより、投下された土砂により埋立て区域が埋め立てられる。
【００６３】
投下された土砂が一定の高さにまで積み上がった後、開閉部２１を開いた状態にして、埋立地に車両や機器を入れる。
車両や機器が土砂搬送設備２内の埋立地に入った後、開閉部２１を閉じた状態にして、これら車両や機器を用いて、埋め立て地を整地し、平坦化し、種子の吹付けや土砂固着化等の土砂飛散防止策の施工を行う。
このようないわゆる土砂払い出しや整地等の作業に伴って土砂の飛散が生じても、払出し側の土砂搬送設備２の、屋根２４、遮蔽部２５、開閉部２１により、土砂搬送設備２の外部にまで土砂は飛散し難い。しかも、前述のように開閉部２１を開けることにより、土砂搬送設備２内に、整地等を行うための車両や機器が出入りできる。
【００６４】
また、土砂搬送設備２内の土砂埋立地に土砂が積みあがった状態で、埋め立ての進捗にともない台船７１を移動する必要がある場合、開閉部２１の開口を積みあがった土砂の高さに合わせて調整することにより、台船７１を支障なく移動させることができ、また、開口高さを必要最小にすることにより、土砂搬送設備２の外部に土砂等の飛散も少なくなる。
【００６５】
次に、これまでの説明を簡単にまとめておく。
荷上岸壁５３側では土砂運搬船５４が出入するときにシャッターシート１３を巻上げ、ガイド柱１２を上昇させ、土砂の荷上作業をするときにガイド柱１２を降ろしシャッターシート１３を下ろす。
【００６６】
また、土砂払出台船７１側では、土砂の払出しの作業のときに、ガイド柱２２を降ろしシャッターシート２３を下ろし、車両が出入するときに、シャッターシート１３を巻上げ、ガイド柱１２を上昇させ、整地、種子吹付けや、土砂固着化などの作業を行うときに、再び、ガイド柱１２を降ろしシャッターシート１３を下ろす。
【００６７】
このため、土砂の受入れ、コンベア搬送、払い出し、整地までの全工程をトータルして土砂粉塵の飛散防止が可能になる。この結果、従来、土砂が飛散していた荷上げ側の土砂搬送設備１周辺及び払出し側の土砂搬送設備２周辺での粉塵の飛散が確実に防止され、周囲の環境を著しく改善できる。また、土砂運搬船５４の接岸、離岸の障害とならず、また、整地などのための車両や機器の出入りの障害とならず、さらに、払い出し側土砂搬送設備２自体の移動の障害とならず、短時間で経済的な飛散防止対策が可能となる。
【００６８】
【発明の効果】
以上説明した本発明においては以下の効果を奏する。
請求項１記載の発明によれば、岸壁に隣接して土砂運搬船が停留可能な船舶停留部と、岸壁上に設置され、土砂運搬船から出された土砂を受入れる移送する荷上側土砂移送部とを備えた土砂搬送設備において、前記船舶停留部および前記荷上側土砂移送部を覆う屋根と、前記屋根の下に前記船舶停留部および前記荷上側土砂移送部を囲う遮蔽部と、前記遮蔽部の船舶停留部側に設けられ土砂運搬船が出入り可能な大きさの開口となる開閉可能な開閉部とが備えられているので、開閉部を開けた場合に、土砂運搬船が出入り可能な大きさの開口となり、土砂搬送設備内に、海上から土砂を運び入れることができる一方、開閉部を閉じた場合に、屋根、遮蔽部、開閉部により、土砂運搬船からの土砂荷上げに伴う土砂の粉塵の飛散があっても、土砂搬送設備の外部までの飛散を妨げることができる。
【００６９】
請求項２記載の発明によれば、台船と、該台船上に設置され、受入れた土砂を前記台船から離れた箇所まで移送する移送部分と移送された土砂を投下する投下部分とを有する土砂投下用移送部とを備えた土砂搬送設備において、前記土砂投下用移送部を覆う屋根と、前記屋根の下に前記土砂投下用移送部を囲う遮蔽部と、前記遮蔽部には前記土砂投下用移送部の投下部分側に設けられ車両が出入り可能な開閉部とが備えられているので、開閉部を開けた場合に、開閉部は車両が出入り可能な大きさの開口となり、整地、種子吹き付けや土砂固着化に必要な車両を土砂搬送設備内に運び入れることができる一方、開閉部を閉じた場合に、屋根、遮蔽部、開閉部により、土砂投下用移送部からの土砂投下など土砂払出に伴う土砂の粉塵の飛散があっても、土砂搬送設備の外部までの飛散を妨げることができる。
【００７０】
請求項３記載の発明によれば、前記請求項１又は請求項２に記載の土砂搬送設備において、前記開閉部は、上方に上げて開放しかつ上方から下ろして閉鎖する昇降式であるので、開閉部を出入りする船の高さや車両等の高さに合わせて開口の高さを調整できるため、船や車両等の出入りに最低必要なだけの開口高さに調整することができ、土砂の飛散を少なくできる。また、請求項２に従属する請求項３記載の発明によれば、開閉部が、上方に上げて開放しかつ上方から下ろして閉鎖する昇降式となっているので、積みあがった土砂の高さに合わせて開口の高さを調整できるため、埋め立ての進捗にともない台船を移動させる際にも台船の移動に支障がない最低必要なだけの開口高さに調整して、台船の移動を可能としながら土砂の飛散を少なくできる。
【００７１】
請求項４記載の発明によれば、前記請求項３に記載の土砂搬送設備において、前記開閉部が、巻上げと巻き出しにより昇り降りして開閉されるシャッターシートと、昇降可能に設けられ、昇降するシャッターシートを案内するガイド柱とにより構成されているので、巻き出されたシャッターシートが、ガイド柱に案内されて、ガイド柱に沿って大きく広げられるため、土砂等が土砂搬送備備の外部に飛散するのを妨げやすい、また、シャッターシートのみならずガイド柱も昇降できるために、大きな土砂搬送船や車両等が出入りでき、さらに、ガイド柱が開いたシャッターシートの補強となり強度を高めることができる。
【図面の簡単な説明】
【図１】本発明の一実施形態に係る土砂荷上側の土砂搬送設備の全体を示す横断面図
【図２】図１の土砂運搬設備の側面図
【図３】図２の平面図
【図４】図３のＡ〜Ａ矢視の正面図
【図５】図４のＢ〜Ｂ矢視した昇降式壁の拡大断面図
【図６】図５の昇降式壁を開いた状態の図
【図７】本発明の一実施形態に係る土砂払い出し側の土砂搬送設備の全体を示す横断面図
【図８】図７の土砂運搬設備の側面図
【図９】図８のＣ〜Ｃ矢視図
【図１０】図８のＤ〜Ｄ矢視図
【図１１】従来の土砂運搬設備の平面概要図
【図１２】従来の土砂運搬設備の側面概要図
【図１３】図１１のＥ〜Ｅ矢視した水上コンベアの断面図
【符号の説明】
１…荷上側の土砂搬送設備
２…払出側の土砂搬送設備
１０…荷上側の上屋
１１…開閉部
１２…ガイド柱
１３…シャッターシート
１４…屋根
１５…遮蔽部、壁
１７…巻上装置
１８…収納箱
２０…払出側の上屋
２１…開閉部
２２…ガイド柱
２３…シャッターシート
２４…屋根
２５…遮蔽部、壁
２６…防塵ネット
２７…貫通部
２８…収納箱
５０…既存の沿岸堤防
５１…埋立て区域
５２…新たな堤防
５３…土砂荷上岸壁
５４…土砂運搬船
５５…　船舶停留部
６０…土砂荷上装置、ショベルカー
６１…荷上側土砂受入れホッパー
６２…土砂受入れコンベア
６４…荷上側土砂移送部
６３…水上コンベア
７１…土砂払出台船
７２…払出し側土砂受入れホッパー
７３…スプレッダコンベアの移送部分
７４…スプレッダコンベアの投下部分
７６…スプレッダコンベア
７７…土砂投下用移送部
７８…埋立地
【図１】
2004011277.tif 000003
【図２】
2004011277.tif 000004
【図３】
2004011277.tif 000005
【図４】
2004011277.tif 000006
【図５】
2004011277.tif 000007
【図６】
2004011277.tif 000008
【図７】
2004011277.tif 000009
【図８】
2004011277.tif 000010
【図９】
2004011277.tif 000011
【図１０】
2004011277.tif 000012
【図１１】
2004011277.tif 000013
【図１２】
2004011277.tif 000014
【図１３】
2004011277.tif 000015